(57)【要約】【課題】個室ドアの開閉ごとに人の有無の判定を行うことを排して消費電力を抑えることができる屋外用個室を提供する。【解決手段】屋外用個室としてのユニットトイレ１００は、便槽１０１上に便器１０２を備えた個室１０３を備えている。個室１０３には、個室１０３内における人の存在を外部に報知する入室表示灯１０６と、個室ドア１０５の開閉状態を検出する開閉検出器１０７と、個室１０３内における人の有無を検出する人感センサ１１０と、開閉検出器１０７および人感センサ１１０からの各検出信号を用いて入室表示灯１０６の作動を制御する制御装置１１１とを備えている。制御装置１１１は、個室１０３内に人が入室したと判定した後に個室ドア１０５が閉状態であるか否かを判定する。【選択図】  図３
2019002236.tif 000002
【特許請求の範囲】
【請求項１】
屋外に設置されて使用される個室と、
前記個室内に出入りするための開き戸型の個室ドアと、
前記個室ドアの開閉状態を検出する開閉検出器と、
前記個室内での人の有無を赤外線を用いて検出する人感センサと、
前記個室の外側面に設けられて同個室内に前記人が存在することを報知するための報知手段と、
前記開閉検出器および前記人感センサから出力される各検出信号を用いて前記報知手段の作動を制御する制御装置とを備え、
前記制御装置は、
前記人感センサからの検出信号を用いて前記個室内に前記人が入室したことを判定する入室判定ステップと、
前記個室内に前記人が入室したと判定されたとき、前記個室ドアが閉状態か否かを判定するドア閉状態判定ステップと、
前記個室ドアが閉状態であると判定されたとき、前記報知手段を作動させる報知ステップとを実行することを特徴とする屋外用個室。
【請求項２】
請求項１に記載した屋外用個室において、
前記制御装置は、
前記個室ドアが閉状態であると判定されたとき、前記人感センサからの検出信号を用いて前記個室内における前記人の存在を判定する入室再判定ステップを実行し、
前記報知ステップは、
前記個室ドアが閉状態であると判定された直後、または、前記入室再判定ステップにて前記個室内に前記人が存在すると判定されたとき、前記報知手段を作動させることを特徴とする屋外用個室。
【請求項３】
請求項２に記載した屋外用個室において、
前記制御装置は、
前記入室判定ステップにて前記個室内に前記人が入室したと判定された後、前記入室再判定ステップを実行する前に１秒以上かつ１０秒以下の間待つ待ちステップを実行することを特徴とする屋外用個室。
【請求項４】
請求項１ないし請求項３のうちのいずれか１つに記載した屋外用個室において、
前記報知ステップは、
前記ドア閉状態判定ステップにて前記個室ドアが閉状態であると判定された後、前記入室再判定ステップが実行される前に実行されることを特徴とする屋外用個室。
【請求項５】
請求項１ないし請求項４のうちのいずれか１つに記載した屋外用個室において、
前記ドア閉状態判定ステップは、
前記個室ドアが開状態から閉状態となったか否かを判定することを特徴とする屋外用個室。
【発明の詳細な説明】
【技術分野】
【０００１】
本発明は、屋外に設置されるトイレや着替え室などの屋外用個室に関する。
【背景技術】
【０００２】
従来から、トイレや着替え室などの複数人で共用する個室においては、個室内における人の存否を個室の外部に知らせるための報知手段を備えたものがある。例えば、下記特許文献１には、個室のドアの閉状態を検出した後に個室内の人の有無を判定して報知手段としての表示ランプを点灯させるように構成した個室使用状況報知システムが開示されている。
【先行技術文献】
【特許文献】
【０００３】
【特許文献１】特開２００５−３０５１２３号公報
【０００４】
しかしながら、上記特許文献１に記載された個室使用状況報知システムにおいては、個室のドアの閉状態を検出した後に個室内の人の有無を判定処理を実行しているため、ドアの開閉ごとに前記判定処理が実行されて電力消費量が増大するとともに人の有無を検出する検出器の寿命が短くなるという問題がある。特に、屋外に設置されるトイレや着替え室などの屋外用個室においては、個室ドアが開いた状態（所謂半開き状態）であることが少なくなく、風や通りすがりの人との接触によって個室ドアが閉じるごとに判定処理が無駄に実行される。また、屋外用個室においては、外部電源が確保し難く乾電池や蓄電池によって電源が確保された場合には、これら電池の消耗が激しく屋外用個室の使用状況の報知可能時間が短くなるとともに十分な電源確保のために屋外用個室の重量が増加するという問題があった。
【０００５】
本発明は上記問題に対処するためなされたもので、その目的は、個室ドアの開閉ごとに人の有無の判定を行うことを排して消費電力を抑えることができる屋外用個室を提供することにある。
【発明の概要】
【０００６】
上記目的を達成するため、本発明の特徴は、屋外に設置されて使用される個室と、個室内に出入りするための開き戸型の個室ドアと、個室ドアの開閉状態を検出する開閉検出器と、個室内での人の有無を赤外線を用いて検出する人感センサと、個室の外側面に設けられて同個室内に人が存在することを報知するための報知手段と、開閉検出器および人感センサから出力される各検出信号を用いて報知手段の作動を制御する制御装置とを備え、制御装置は、人感センサからの検出信号を用いて個室内に人が入室したことを判定する入室判定ステップと、個室内に人が入室したと判定されたとき、個室ドアが閉状態か否かを判定するドア閉状態判定ステップと、個室ドアが閉状態であると判定されたとき、報知手段を作動させる報知ステップとを実行することにある。
【０００７】
このように構成した本発明の特徴によれば、屋外用個室は、入室判定ステップによって個室内に人が入室したと判定した後にドア閉状態判定ステップによって個室ドアが閉状態であるか否かを判定するため、風や人との接触によって個室ドアが閉じるごとに個室内の人の判定処理が実行されることを防止することができる。こにより、本発明に係る屋外用個室においては、個室内への人の入室に関して無駄な判定処理の実行を防止して消費電力を抑えることができるため、電源として乾電池や蓄電池などの電池を用いた場合であっても屋外用個室の使用状況の報知可能時間を長く確保することができるとともに屋外用個室の重量を軽量化することができる。
【０００８】
また、本発明の他の特徴は、前記屋外用個室において、制御装置は、個室ドアが閉状態であると判定されたとき、人感センサからの検出信号を用いて個室内における人の存在を判定する入室再判定ステップを実行し、報知ステップは、個室ドアが閉状態であると判定された直後、または、入室再判定ステップにて個室内に人が存在すると判定されたとき、報知手段を作動させることにある。
【０００９】
このように構成した本発明の特徴によれば、屋外用個室は、個室ドアの閉状態を検出した後に再度個室内における人の存在を判定するため、個室内における人の有無の判定精度を向上させることができる。特に、夏季などの高温時に屋外用個室の使用時においては、個室内に熱気が入り込んだ後に個室ドアが風などによって閉じることがあるが、このような場合であっても屋外用個室は入室再判定ステップによって個室内における人の存在を誤判定することを防止することができる。
【００１０】
また、本発明の他の特徴は、前記屋外用個室において、制御装置は、制御装置は、入室判定ステップにて個室内に人が入室したと判定された後、入室再判定ステップを実行する前に１秒以上かつ１０秒以下の間待つ待ちステップを実行することにある。この場合、本発明者の実験によれば、待ちステップにおける待ち時間は、２秒〜５秒が好適である。
【００１１】
このように構成した本発明の特徴によれば、屋外用個室は、入室判定ステップにて個室内に人が入室したと判定した後、入室再判定ステップを実行する前に１秒以上かつ１０秒以下の間待つ待ちステップを実行するため、個室内に熱気が入り込むと同時または熱気が入り込んだ直後に個室ドアが風などによって閉じた場合における個室内の人の有無の判定処理精度を向上させることができる。
【００１２】
また、本発明の他の特徴は、前記屋外用個室において、報知ステップは、ドア閉状態判定ステップにて個室ドアが閉状態であると判定された後、入室再判定ステップが実行される前に実行されることにある。
【００１３】
このように構成した本発明の特徴によれば、屋外用個室は、ドア閉状態判定ステップにて個室ドアが閉状態であると判定された後、入室再判定ステップが実行される前に報知手段を作動させるため、個室内に人が入室した際にいち早く個室外に対して報知することができる。
【００１４】
また、本発明の他の特徴は、前記屋外用個室において、ドア閉状態判定ステップは、個室ドアが開状態から閉状態となったか否かを判定することにある。
【００１５】
このように構成した本発明の特徴によれば、屋外用個室は、個室ドアの閉状態について個室ドアが開状態から閉状態となったか否かを判定しているため、入室判定ステップにて個室ドアが閉状態において人を検出するという誤判定を防止することができる。例えば、屋外用個室は、個室ドアが閉状態において個室の通気口から熱気が進入した場合に個室内に人が入室したと判定することを防止することができる。
【図面の簡単な説明】
【００１６】
【図１】本発明の一実施形態に係るユニットトイレの模式的な構成を個室ドアが閉められた状態で示した斜視図である。
【図２】図１に示したユニットトイレの模式的な構成について個室ドアが開けられた状態で示した斜視図である。
【図３】図１示した制御装置が実行する入室表示灯制御プログラムの処理内容を示したフローチャートである。
【図４】図１に示したユニットトイレの模式的な構成を個室ドアが半開きの状態で示した斜視図である。
【図５】図１に示したユニットトイレの模式的な構成を個室内に人が存在して使用している状態で示した斜視図である。
【発明を実施するための形態】
【００１７】
以下、本発明に係る屋外用個室の一実施形態について図面を参照しながら説明する。図１は、本発明に係る屋外用個室であるユニットトイレ１００の構成を個室ドア１０５が閉められた状態で模式的に示した斜視図である。また、図２は、図１に示したユニットトイレ１００の構成を個室ドア１０５が開けられた状態で模式的に示した斜視図である。このユニットトイレ１００は、屋外において下水道工事を伴わずに設置、移動または撤去ができる簡易設置型のトイレである。
【００１８】
（ユニットトイレ１００の構成）
ユニットトイレ１００は、便槽１０１上に個室１０３を備えて構成されている。便槽１０１は、ユニットトイレ１００が設置される設置面上に載置されて屎尿を貯留するとともに個室１０３内の床面１０３ａを構成する構造体であり、ＰＰ（ポリプロピレン樹脂）、ＰＥ（ポリエチレン樹脂）またはＦＲＰ（繊維強化樹脂）材などの樹脂材を水平方向に延びるとともに内部が空洞の箱状に成形して構成されている。この便槽１０１は、使用者が個室１０３に出入りし易くするために前部部分が階段状に形成されている。また、便槽１０１の上面は、個室１０３内の床面１０３ａを構成しており、便器１０２が設けられている。なお、便槽１０１には、便槽１０１の臭気を排気する脱気管や貯留した屎尿を回収するための汲取り口などが設けられているが本発明に直接関わらないため、これらの説明は省略する。
【００１９】
便器１０２は、使用者が排泄した屎尿を受け止めて便槽１０１内に導くための器であり、ＦＲＰ（繊維強化樹脂）材またはセラミック材を上方に向かって開口した形状に形成して構成されている。この便器１０２は、本実施形態においては、使用者が腰掛けた状態で排泄を行う洋式型の便器で構成されているが、使用者が跨いだ状態で屈んで排泄を行う和式型の便器であってもよい。なお、図１においては、便器１０２は、便座の蓋が空いた状態を示している。また、本実施形態で参照する各斜視図は、内部構造を破線で示している。
【００２０】
個室１０３は、便器１０２を収容して使用者が用を足す部屋を構成する構造物であり、便槽１０１上に上下方向に延びる箱状に形成されている。より具体的には、個室１０３は、便槽１０１の上面である床面１０３ａ上に樹脂材（高密度ポリエチレン樹脂など）をそれぞれ板状に形成した前面パネル１０４ａ、背面パネル１０４ｂ、左側面パネル１０４ｃ、右側面パネル１０４ｄおよび天井パネル１０４ｅを直方体状に組み付けて構成されている。
【００２１】
前面パネル１０４ａは、個室１０３の正面側に起立した状態で配置されて他のパネル材とともに便器１０２の周囲を囲う壁状の部品であり、個室ドア１０５を開閉自在に支持する方形枠状に形成されている。この前面パネル１０４ａには、外側面に入室表示灯１０６が設けられているとともに、内側面に開閉検出器１０７が設けられている。
【００２２】
背面パネル１０４ｂは、前面パネル１０４ａに対して便器１０２を介した個室１０３の後側の位置に起立した状態で配置されて他のパネル材とともに便器の周囲を囲う壁状の部品であり、上下方向に延びる長方形状に形成されている。この背面パネル１０４ｂには、外側面の上部部分に通気口１０８が設けられている。
【００２３】
左側面パネル１０４ｃおよび右側面パネル１０４ｄは、前面パネル１０４ａおよび背面パネル１０４ｂの各左右両端部にそれぞれ起立した状態で配置されて他のパネル材とともに便器１０２の周囲を囲う壁状の部品であり、上下方向に延びる長方形状にそれぞれ形成されている。これらの左側面パネル１０４ｃおよび右側面パネル１０４ｄのうちの左側面パネル１０４ｃには、内側面の上部部分に制御装置１１１が設けられている。
【００２４】
天井パネル１０４ｅは、個室１０３の上側に水平方向に延びた状態で配置されて他のパネル材とともに便器１０２の周囲を囲って天井面を構成する部品であり、水平方向に延びる長方形状に形成されている。この天井パネル１０４ｅは、中央部に採光部１０９が設けられているとともに、この採光部１０９に隣接して人感センサ１１０が設けられている。
【００２５】
これらの床面１０３ａ、前面パネル１０４ａ、背面パネル１０４ｂ、左側面パネル１０４ｃ、右側面パネル１０４ｄおよび天井パネル１０４ｅは、互いに隣接する部材同士がボルト（図示せず）などの連結具を介して互いに連結されてその内部が外部から視認不能な隔てられた空間として形成された個室１０３を構成している。
【００２６】
個室ドア１０５は、個室１０３内に対して使用者が出入りするために個室１０３内を開閉自在に仕切るための部品であり、樹脂材（高密度ポリエチレン樹脂など）を正面視で上下方向に延びる長方形状の板状に形成して構成されている。この個室ドア１０５は、前面パネル１０４ａの内縁部に対して蝶番１０５ａを介して取り付けられてこの蝶番を回動中心として回動する所謂開き戸で構成されている。また、個室ドア１０５には、前記蝶番１０５ａとは反対側に使用者が手を掛けるドアノブ１０５ｂが個室ドア１０５を貫通した状態で設けられている。
【００２７】
ドアノブ１０５ｂは、使用者が個室ドア１０５を開閉するための部品であり、前面パネル１０４ａの内縁部に形成された孔部に嵌合するラッチおよびデッドボルトをそれぞれ備えている。これにより、個室ドア１０５は、ドアノブ１０５ｂのラッチが前面パネル１０４ａの内縁部に嵌合することで不用意に開閉することが防止されるとともに、使用者がデッドボルトを前面パネル１０４ａの内縁部に嵌合させることによって個室ドア１０５が開かないロック状態にすることができる。
【００２８】
入室表示灯１０６は、個室１０３内に使用者が存在していることを個室１０３の外部に報知するための器具であり、制御装置１１１によって作動が制御される発光体によって構成されている。本実施形態においては、入室表示灯１０６は、正面視で方形に形成された赤色灯で構成されている。この入室表示灯１０６は、前面パネル１０４ａにおける上部部分に取り付けられている。なお、入室表示灯１０６は、赤色以外の色、例えば、青色や白色に発光するものでもよいし、「使用中」などの文字情報を表示するものであってもよい。
【００２９】
開閉検出器１０７は、個室ドア１０５の開閉状態を検出するための電気的な部品であり、個室ドア１０５の開閉状態に応じた検出信号を制御装置１１１に出力する。本実施形態においては、開閉検出器１０７は、磁石によってリードスイッチを動作させる磁気形近接センサで構成されている。この開閉検出器１０７は、対を構成するマグネット部および検出部がそれぞれ前面パネル１０４ａの内側面および個室ドア１０５の内側面にそれぞれ対向した位置関係で取り付けられている。なお、開閉検出器１０７は、個室ドア１０５の開閉状態を検出することができれば、どのような形態のセンサであってもよい。
【００３０】
通気口１０８は、個室１０３の内外で空気を流通させて換気するための部分であり、背面パネル１０４ｂに形成された方形の開口部に開閉自在なグリル型の換気口または開閉不能なルーバー型（所謂ガラリ）の換気口が嵌め込まれて構成されている。
【００３１】
採光部１０９は、個室１０３内に採光するための部分であり、天井パネル１０４ｅに形成された方形の開口部に半透明な樹脂製の板材を嵌め込んで構成されている。なお、個室１０３は、この採光部１０９に代えてまたは加えて個室１０３内を照らす照明器具を設けてもよい。
【００３２】
人感センサ１１０は、個室１０３内における人の有無を用いて検出するための電気的な部品であり、受光する赤外線の変化量に応じた電気信号を出力する赤外線センサで構成されている。この人感センサ１１０は、個室１０３内における便器１０２の周囲を検出エリアとするように天井パネル１０４ｅに取り付けられている。なお、人感センサ１１０は、個室１０３内における人の有無を検出できる位置に設けられていれば、天井パネル１０４ｅ以外の場所、例えば、背面パネル１０４ｂに設けられていてもよい。
【００３３】
制御装置１１１は、ＣＰＵ、ＲＯＭ、ＲＡＭなどからなるマイクロコンピュータによって構成されており、ユニットトイレ１００の全体の作動を総合的に制御する。具体的には、制御装置１１１は、ＲＯＭなどの記憶装置に予め記憶されている入室表示灯制御プログラムを実行することにより開閉検出器１０７および人感センサ１１０からの各検出信号を用いて入室表示灯１０６の点灯または消灯の制御を行う。すなわち、制御装置１１１は、開閉検出器１０７、人感センサ１１０および入室表示灯１０６にそれぞれ電気的に接続されている。
【００３４】
この制御装置１１１は、樹脂製の箱体に収容された状態で左側面パネル１０４ｃの状部分に取り付けられている。また、制御装置１１１は、公共電源（例えば、家庭用１００Ｖ電源）や発電機などの外部電源または乾電池からそれぞれ給電を受けるための図示しない電源回路を有している。
【００３５】
（ユニットトイレ１００の作動）
次に、このように構成したユニットトイレ１００の作動について説明する。まず、ユニットトイレ１００を設置する作業者は、ユニットトイレ１００を使用する場所に設置する。この場合、ユニットトイレ１００の設置場所としては、屋外におけるトイレを必要とする場所、例えば、工事現場、イベント会場、公園、キャンプ場、海水浴場、釣り場、登山道または被災地などの地面に直接または同地に乗り入れた車両の荷台上を設置場所とすることができる。また、このユニットトイレ１００は、便槽１０１を備えているため、下水道工事を伴うことなく設置することができる。
【００３６】
次に、作業者は、制御装置１１１に対して外部電源と接続または乾電池をセットすることにより電力の供給を開始させる。これにより、制御装置１１１は、開閉検出器１０７および人感センサ１１０に電力を供給して作動を開始させるとともに、図３に示した入室表示灯制御プログラムの実行をステップＳ１００にて開始して、ステップＳ１０２にて、個室１０３内への人の入室の有無を判定する。
【００３７】
具体的には、制御装置１１１は、人感センサ１１０から出力される検出信号の変化量を用いて個室１０３内における便器１０２の周辺の検出エリア内での人の存在を監視し続ける。したがって、制御装置１１１は、個室１０３内に人が存在すると判定するまでの間、このステップＳ１０２による判定処理にて「Ｎｏ」と判定し続ける。一方、個室１０３内における便器１０２の周辺の検出エリア内に人が進入した場合には、制御装置１１１は、このステップＳ１０２による判定処理にて「Ｙｅｓ」と判定してステップＳ１０４に進む。このステップＳ１０４による判定処理が、本発明に係る「入室判定ステップ」に相当する。
【００３８】
次に、制御装置１１１は、ステップＳ１０４にて、個室ドア１０５が閉じられている否かを判定する。具体的には、制御装置１１１は、開閉検出器１０７から出力される検出信号の大きさを用いて個室ドア１０５が閉じられた閉状態であるか否かを判定する。したがって、制御装置１１１は、個室ドア１０５の閉状態を検出した場合には、このステップＳ１０４による判定処理にて「Ｙｅｓ」と判定してステップＳ１０６に進む。
【００３９】
一方、制御装置１１１は、個室ドア１０５の閉状態を検出しなかった場合には、このステップＳ１０４による判定処理にて「Ｎｏ」と判定してステップＳ１０２に戻る。すなわち、制御装置１１１は、個室ドア１０５の閉状態を検出しなかった場合には、個室１０３に入室した人がユニットトイレ１００の使用者以外のもの、例えば、清掃者、メンテナンス者または動物である場合や、暖かい空気の塊などと判定して前記ステップＳ１０２における入室判定処理に戻る。このステップＳ１０４による判定処理が、本発明に係る「ドア閉状態判定ステップ」に相当する。
【００４０】
次に、制御装置１１１は、ステップＳ１０６にて、入室表示灯１０６を点灯させる。これにより、ユニットトイレ１００は、個室１０３内に使用者が入室していて使用中であることを外部に対して報知することができる。すなわち、このステップＳ１０６による入室表示灯１０６を点灯させる処理が、本発明に係る「報知ステップ」に相当する。そして、制御装置１１１は、入室表示灯１０６を点灯させた後、ステップＳ１０８に進む。
【００４１】
次に、制御装置１１１は、ステップＳ１０８にて、所定時間が経過したか否かを判定する。この場合、所定時間とは、入室表示灯１０６を点灯させてから次のステップＳ１１０による個室１０３内での人の有無の判定処理を実行するまでの時間であり、概ね１秒〜１０秒である。この所定時間は、本発明者の実験によれば、２秒〜５秒が好適である。本実施形態においては、所定時間を３秒に設定している。
【００４２】
したがって、制御装置１１１は、ステップＳ１０６にて入室表示灯１０６を点灯させた後３秒経過するまでの間、このステップＳ１０８による判定処理にて「Ｎｏ」と判定し続ける。一方、ステップＳ１０６にて入室表示灯１０６を点灯させた後３秒経過した場合には、制御装置１１１は、このステップＳ１０６による判定処理にて「Ｙｅｓ」と判定してステップＳ１１０に進む。このステップＳ１０４による判定処理が、本発明に係る「待ちステップ」に相当する。
【００４３】
次に、制御装置１１１は、ステップＳ１１０にて、個室１０３内での人の有無を判定する。具体的には、制御装置１１１は、前記ステップＳ１０２における判定処理と同様に、人感センサ１１０から出力される検出信号の変化量を用いて個室１０３内における便器１０２の周辺の検出エリア内での人の存在を判定する。したがって、制御装置１１１は、個室１０３内にて人を検出しなかった場合には、このステップＳ１１０による判定処理にて「Ｎｏ」と判定してステップＳ１１２に進む。
【００４４】
これにより、制御装置１１１は、図４の破線矢印線で示すように、個室ドア１０５がしっかりと閉じられなかったことにより、風などによって開いた状態と閉じた状態とが繰り返される場合などおいて個室１０３内に人が存在しているとの誤判定が生じることを防止することができる。
【００４５】
一方、制御装置１１１は、個室１０３内に人を検出した場合には、このステップＳ１１０による判定処理にて「Ｙｅｓ」と判定してステップＳ１１４に進む。すなわち、制御装置１１１は、図５に示すように、このステップＳ１１０による判定処理において「Ｙｅｓ」と判定した場合に、ようやく、個室１０３内に使用者Ｕが入室したと判定することになる。このステップＳ１１０による判定処理が、本発明に係る「入室再判定ステップ」に相当する。なお、図５においては、入室表示灯１０６が点灯した状態を複数の直線で示している。また、使用者Ｕを二点鎖線で示している。
【００４６】
次に、制御装置１１１は、ステップＳ１１２にて、入室表示灯１０６を消灯させる。すなわち、前記ステップＳ１１０の判定処理にて「Ｎｏ」と判定された場合とは、個室ドア１０５が閉じているにも拘らず個室１０３内に人が存在していない状態であり、例えば、個室１０３内に暖かい空気が入った直後に個室ドア１０５が閉じた状況などが考えられる。したがって、このような場合においては、制御装置１１１は、ステップＳ１１２にて、入室表示灯１０６を消灯させた後、ステップＳ１０２に戻る。
【００４７】
次に、制御装置１１１は、ステップＳ１１４にて、個室ドア１０５が開いたか否かを判定する。具体的には、制御装置１１１は、開閉検出器１０７から出力される検出信号の変化量を用いて個室ドア１０５が開かれた開状態であるか否かを監視し続ける。したがって、制御装置１１１は、個室ドア１０５が開状態を検出するまでの間、このステップＳ１１４による判定処理にて「Ｎｏ」と判定し続ける。つまり、使用者Ｕが個室１０３を使用中においては入室表示灯１０６は点灯し続ける。一方、個室１０３内の使用者Ｕが個室ドア１０５を開けた場合には、制御装置１１１は、このステップＳ１１４による判定処理にて「Ｙｅｓ」と判定してステップＳ１１６に進む。
【００４８】
次に、制御装置１１１は、ステップＳ１１６にて、入室表示灯１０６を消灯させる。すなわち、制御装置１１１は、前記ステップＳ１１４にて個室ドア１０５の開状態を検出した場合とは、使用者Ｕがユニットトイレ１００の使用を終えて個室１０３内から退出することを意味するため、入室表示灯１０６を消灯させた後、ステップＳ１０２に戻る。これにより、制御装置１１１は、再び、ステップＳ１０２の判定処理を実行して使用者Ｕの個室１０３への入室を監視する。この入室表示灯制御プログラムは、制御装置１１１に電力が供給されている間、継続的に実行される。
【００４９】
上記作動説明からも理解できるように、上記実施形態によれば、ユニットトイレ１００は、入室判定ステップによって個室１０３内に人が入室したと判定した後にドア閉状態判定ステップによって個室ドア１０５が閉状態であるか否かを判定するため、風や人との接触によって個室ドア１０５が閉じるごとに個室１０３内の人の判定処理が実行されることを防止することができる。こにより、本発明に係るユニットトイレ１００においては、個室１０３内への人の入室に関して無駄な判定処理の実行を防止して消費電力を抑えることができるため、電源として乾電池や蓄電池などの電池を用いた場合であってもユニットトイレ１００の使用状況の報知可能時間を長く確保することができるとともにユニットトイレ１００の重量を軽量化することができる。
【００５０】
さらに、本発明の実施にあたっては、上記実施形態に限定されるものではなく、本発明の目的を逸脱しない限りにおいて種々の変更が可能である。
【００５１】
例えば、上記実施形態においては、制御装置１１１は、ステップＳ１０６によるドア閉状態判定ステップにて開閉検出器１０７から出力される検出信号の大きさを用いて個室ドア１０５が閉状態か否かを判定した。しかし、制御装置１１１は、開閉検出器１０７から出力される検出信号の大きさの変化を監視して個室ドア１０５が開状態から閉状態に移行したことを検出するように構成することできる。これによれば、制御装置１１１は、個室１０３内への人の入室をより正確に判定することができる。
【００５２】
また、上記実施形態においては、制御装置１１１は、ステップＳ１０６によるドア閉状態判定ステップの実行後、ステップＳ１１０による入室再判定ステップの実行前にステップＳ１０８による入室表示灯１０６の点灯処理を実行した。しかし、制御装置１１１は、ステップＳ１１０による入室再判定ステップの実行によって個室１０３内で人が存在すると判定したときのみ入室表示灯１０６の点灯処理を実行するように構成することもできる。これによれば、制御装置１１１は、入室表示灯１０６の無駄な点灯を防止できるとともにステップＳ１１２による入室表示灯１０６の消灯処理を省略することができる。
【００５３】
また、上記実施形態においては、制御装置１１１は、ステップＳ１０８にて待ちステップを実行した。しかし、制御装置１１１は、ステップＳ１０８による待ちステップを省略してステップＳ１０６による報知ステップの後、直ちにステップＳ１１０による入室再判定ステップを実行するようにしてもよい。
【００５４】
また、制御装置１１１は、ステップＳ１０８による待ちステップに代えてまたは加えて同じ処理内容の待ちステップをステップＳ１０２による入室判定ステップの後であってステップＳ１０４によるドア閉状態判定ステップの実行前に実行することもできる。
【００５５】
この場合、この待ちステップにおける所定時間とは、個室１０３内に人が入室してから個室ドア１０５を閉めるまでに要する時間であり、概ね１秒〜１０秒である。この所定時間は、本発明者の実験によれば、２秒〜５秒が好適である。したがって、制御装置１１１は、ステップＳ１０２にて個室１０３への人の入室を判定した後３秒経過するまでの間、このステップＳ１０４による判定処理にて「Ｎｏ」と判定し続ける。一方、ステップＳ１０２にて個室１０３への人の入室を判定した後３秒経過した場合には、制御装置１１１は、このステップＳ１０４による判定処理にて「Ｙｅｓ」と判定してステップＳ１０６に進む。これにより、個室１０３内に入室して使用者Ｕが個室ドア１０５を閉めるのに時間が掛かった場合であっても繰り返し実行されるＳ１０２による入室判定ステップの誤判定を防止することができる。
【００５６】
また、上記実施形態においては、ユニットトイレ１００は、入室表示灯１０６によって個室１０３の外部に対して個室１０３内に人が存在していることを報知した。すなわち、入室表示灯１０６が、本発明に係る報知手段に相当する。しかし、報知手段は、個室１０３内に人が存在していていることを個室１０３の外部に報知することができればよく、必ずしも上記実施形態に限定されるものではない。したがって、報知手段は、発光による報知に変えてまたは加えてブザーなどの発音による報知を行ってもよい。
【００５７】
また、上記実施形態においては、ユニットトイレ１００は、個室１０３内を照らす照明器具を備えていない。しかし、ユニットトイレ１００は、個室１０３内を照らす照明器具を備えることができる。この場合、ユニットトイレ１００は、使用者の手動操作されるスイッチを備えて使用者による手動操作によって照明器具が点灯または消灯されるように構成することができる。また、ユニットトイレ１００は、制御装置１１１に照明器具を電気的に接続することにより制御装置１１１によって照明器具が点灯または消灯されるように構成することができる。この場合、制御装置１１１は、照明器具を単独で制御してもよいが、入室表示灯１０６と同期させた作動制御を行うこともできる。
【００５８】
また、上記実施形態においては、ユニットトイレ１００は、便槽１０１を備えて構成されている。しかし、ユニットトイレ１００は、下水管に連結されるタイプであれば、必ずしも便槽１０１は必要ではなく便槽１０１を省略して構成することもできる。
【００５９】
また、上記実施形態においては、本願発明に係る屋外用個室としてユニットトイレ１００を用いて説明した。しかし、本願発明に係る屋外用個室は、屋外に設置される個室であれば広く適用することができる。したがって、本願発明に係る屋外用個室は、例えば、更衣室、シャワー室または物置として実施することもできる。
【符号の説明】
【００６０】
Ｕ…使用者、
１００…ユニットトイレ、
１０１…便槽、１０２…便器、１０３…個室、１０３ａ…床面、１０４ａ…前面パネル、１０４ｂ…背面パネル、１０４ｃ…左側面パネル、１０４ｄ…右側面パネル、１０４ｅ…天井パネル、１０５…個室ドア、１０５ａ…蝶番、１０５ｂ…ドアノブ、１０６…入室表示灯、１０７…開閉検出器、１０８…通気口、１０９…採光部、１１０…人感センサ、１１１…制御装置。
【図１】
2019002236.tif 000003
【図２】
2019002236.tif 000004
【図３】
2019002236.tif 000005
【図４】
2019002236.tif 000006
【図５】
2019002236.tif 000007